(57)【要約】【課題】アニメーションのような動画ファイル生成時に、コマ撮りごとの被写体移動量を撮影者に知らせる。【解決手段】デジタルカメラ１の制御部２０は、ストップモーション撮影により各コマの撮影を行う際、被写体が取るべき姿勢を示すガイド画像を生成して、そのガイド画像を撮影準備時のスルー画像と重ねてモニタ１５に表示させる。【選択図】図１
2014072539.tif 000002
【特許請求の範囲】
【請求項１】
被写体の姿勢を変化させる動線を設定する動線設定手段と、
前記動線に沿って前記被写体の姿勢を変化させるコマ数を設定するコマ数設定手段と、
前記動線と、前記コマ数とに基づいて、各コマの撮影を行う際に前記被写体が取るべき姿勢を示す画像を生成する画像生成手段と、
前記画像生成手段により生成された画像を、各コマの撮影の準備時のスルー画像に重ねて表示部に表示する表示手段と、
を備えることを特徴とする撮像装置。
【請求項２】
請求項１に記載の撮像装置において、
前記動線設定手段は、前記複数の動線を設定することができ、
前記コマ数設定手段は、前記複数の動線ごとに前記コマ数を設定して、
前記画像生成手段は、前記複数の動線と、前記複数の動線ごとに設定された前記コマ数とに基づいて、各コマの撮影を行う際に前記被写体が取るべき姿勢を示す画像を生成することを特徴とする撮像装置。
【請求項３】
請求項１または２に記載の撮像装置において、
前記コマ数設定手段は、前記動線に沿って前記被写体の姿勢を変化させる時間を設定して、前記時間とフレームレートとに基づいて前記コマ数を設定することを特徴とする撮像装置。
【請求項４】
請求項１から３のいずれか一項に記載の撮像装置において、
前記表示部の画面上に第１の点と第２の点を設定する操作部材をさらに備え、
前記動線設定手段は、前記第１の点と前記第２の点との間に前記動線を設定することを特徴とする撮像装置。
【請求項５】
請求項１から４のいずれか一項に記載の撮像装置において、
タッチセンサをさらに備え、
前記動線設定手段は、前記表示部に前記スルー画を表示させて、前記タッチセンサにより前記動線を設定させることを特徴とする撮像装置。
【請求項６】
複数のコマの各々における被写体の姿勢を示すサンプル画像を含むサンプルデータを記憶する記憶部と、
前記被写体の姿勢を変化させるコマ数を設定するコマ数設定手段と、
前記コマ数設定手段により設定された前記コマ数の前記サンプル画像を含む前記サンプルデータを読み出す読出手段と、
前記読出手段が読み出した前記サンプルデータに基づいて、各コマの撮影を行う際に前記被写体が取るべき姿勢を表す画像を生成する画像生成手段と、
前記画像生成手段により生成された前記被写体が取るべき姿勢を表す画像を、各コマの撮影の準備時のスルー画像に重ねて表示部に表示する表示手段と、
を備えることを特徴とする撮像装置。
【請求項７】
請求項６に記載の撮像装置において、
前記画像生成手段は、前記サンプル画像の表示位置、向き、大きさを調整して、各コマの撮影を行う際に前記被写体が取るべき姿勢を表す画像を生成することを特徴とする撮像装置。
【発明の詳細な説明】
【技術分野】
【０００１】
本発明は撮像装置に関する。
【背景技術】
【０００２】
ストップモーション撮影によりアニメーションを制作する際、撮影者は、被写体を少しずつ動かしながらコマ撮りする。このようなアニメーション制作において、再生したときに被写体が滑らかに動くように見せるためには、コマごとに被写体を動かす量を見極める必要がある。特許文献１には、直前コマの再生画像を次コマの撮影準備段階のスルー画像と重ねてモニタに表示することにより、撮影者による被写体の姿勢調整を補助する電子カメラについて記載されている。
【先行技術文献】
【特許文献】
【０００３】
【特許文献１】特開２００８−６０６６１号公報
【発明の概要】
【発明が解決しようとする課題】
【０００４】
しかし、特許文献１の技術を適用しても、撮影者がコマごとに被写体を動かす量を正確に把握できない虞があった。
【課題を解決するための手段】
【０００５】
本発明の第１の態様による撮像装置は、被写体の姿勢を変化させる動線を設定する動線設定手段と、動線に沿って被写体の姿勢を変化させるコマ数を設定するコマ数設定手段と、動線と、コマ数とに基づいて、各コマの撮影を行う際に被写体が取るべき姿勢を示す画像を生成する画像生成手段と、画像生成手段により生成された画像を、各コマの撮影の準備時のスルー画像に重ねて表示部に表示する表示手段と、を備えることを特徴とする。
本発明の第２の態様による撮像装置は、複数のコマの各々における被写体の姿勢を示すサンプル画像を含むサンプルデータを記憶する記憶部と、被写体の姿勢を変化させるコマ数を設定するコマ数設定手段と、コマ数設定手段により設定されたコマ数のサンプル画像を含むサンプルデータを読み出す読出手段と、読出手段が読み出したサンプルデータに基づいて、各コマの撮影を行う際に被写体が取るべき姿勢を表す画像を生成する画像生成手段と、画像生成手段により生成された被写体が取るべき姿勢を表す画像を、各コマの撮影の準備時のスルー画像に重ねて表示部に表示する表示手段と、を備えることを特徴とする。
【発明の効果】
【０００６】
本発明による撮像装置では、アニメーションのような動画ファイル生成時に、コマ撮りごとの被写体移動量を撮影者に知らせることができる。
【図面の簡単な説明】
【０００７】
【図１】本発明の第１の実施の形態による撮像装置のブロック構成図の一例である。
【図２】（ａ）撮影準備段階にモニタに表示されるスルー画像の一例を示す図である。（ｂ）ガイド画像とスルー画像とを重ねた合成画像の一例を示す図である。
【図３】（ａ）（ｂ）本発明の第１の実施の形態におけるガイド画像の一例を示す図である。
【図４】本発明の第１の実施の形態におけるガイド画像の生成方法を説明するための図である。
【図５】本発明の第１の実施の形態におけるガイド画像に含まれるガイドポイントの個数を設定するための設定画面の一例を示す図である。
【図６】本発明の第１の実施の形態におけるガイド画像とスルー画像と直前コマの撮影画像とを重ねた合成画像の一例を示す図である。
【図７】（ａ）本発明の第１の実施の形態におけるガイド画像が複数設定されている合成画像の一例を示す図である。（ｂ）ガイドポイントの個数を設定するための設定画面の一例を示す図である。
【図８】本発明の第１の実施の形態におけるガイド画像を生成する処理に関するフローチャートである。
【図９】本発明の第１の実施の形態における撮像装置によるアニメーション撮影処理に関するフローチャートである。
【図１０】本発明の第１の実施の形態における撮像装置によるアニメーション撮影処理に関するフローチャートである。
【図１１】本発明の第２の実施の形態によるガイド画像のサンプル画像の一例を示す図である。
【図１２】サンプルデータを読み出すための設定画面の一例を示す図である。
【図１３】本発明の第２の実施の形態におけるガイド画像を生成する処理に関するフローチャートである。
【図１４】本発明の第２の実施の形態における撮像装置によるアニメーション撮影処理に関するフローチャートである。
【図１５】本発明の第２の実施の形態における撮像装置によるアニメーション撮影処理に関するフローチャートである。
【図１６】（ａ）本発明の第２の実施の形態におけるガイド画像とスルー画像とを重ねた合成画像の一例を示す図である。（ｂ）本発明の第２の実施の形態におけるガイド画像とスルー画像と直前コマの撮影画像とを重ねた合成画像の一例を示す図である。
【発明を実施するための形態】
【０００８】
―第１の実施の形態―
図１は、本発明の第１の実施の形態による撮像装置のブロック構成図である。図１には、撮像装置の一例として、デジタルカメラ１００のブロック構成図が例示されている。デジタルカメラ１００は、撮影光学部１と、フォーカス制御回路２と、シャッタ制御回路３と、絞り制御回路４と、ズーム制御回路５と、撮像素子６と、撮像制御回路７と、映像回路８と、不揮発性メモリ９と、バッファメモリ１０と、メモリ制御回路１１と、操作検出回路１３と、モニタ制御回路１４と、表示部１５と、制御部２０と、タッチセンサ２１とを備える。
【０００９】
撮像光学部１は、被写体像を撮像素子６に結像させる。撮像光学部１は、ズームレンズ１ａ、フォーカスレンズ１ｂ、絞り１ｃ、およびシャッタ１ｄを有する。フォーカス制御回路２、シャッタ制御回路３、絞り制御回路４、ズーム制御回路５は、それぞれフォーカシングレンズ１ｂ、シャッタ１ｄ、絞り１ｃ、ズームレンズ１ａを駆動する。
【００１０】
撮像素子６は、ＣＣＤイメージセンサ、ＣＭＯＳイメージセンサなどによって構成され、被写体像を画素位置に対応する複数の電気信号に光電変換し、変換後の信号を映像回路８へ送出する。映像回路８は、撮像素子６から入力される電気信号の増幅、およびアナログ信号からディジタル信号への変換等を行って制御部２０へ送出する。撮像制御回路７は撮像素子６を駆動するタイミング信号を発生し、撮像素子６の露光時間（電荷蓄積時間）、光電変換、および電気信号の出力（電荷転送）などを制御する。
【００１１】
不揮発性メモリ９は、制御部２０からの指示によりデータの記録および読出しが可能に構成され、制御部２０が実行するプログラムや撮影した画像データなどを格納する。不揮発性メモリ９の記録内容は、電子カメラの電源オフ時も保持される。バッファメモリ１０は、制御部２０からの指示によりデータの記録および読出しが可能に構成され、撮影した画像データ、画像処理過程のデータ、画像処理後のデータ、画像圧縮後のデータなど、各種処理過程のデータを一時的に格納する。
【００１２】
メモリ制御回路１１は、制御部２０からの指示によりメモリカード１２内のデータの記録および読出しが可能に構成される。メモリカード１２には、撮影した画像データおよびその撮影情報を含む画像ファイルが記録される。
【００１３】
モニタ制御回路１４は、制御部２０から出力された表示データをモニタ１５へ送出するとともに、モニタ１５の点灯、消灯および表示制御を行う。モニタ１５は、再生モード時において撮影済みの画像データによる再生画像を表示する他、撮影モード時において撮影指示前（撮影準備段階）に撮像素子６から出力される撮像信号によるスルー画像を表示する。
【００１４】
操作スイッチ１３０は、電源スイッチ（メインスイッチ）、レリーズスイッチ、モード切替スイッチなどを含む。操作検出回路１３は、操作スイッチ１３０からの操作信号が入力されると、操作信号に応じた操作情報を制御部２０へ送出する。
【００１５】
制御部２０は、マイクロコンピュータ等によって構成され、不揮発性メモリ９に格納されているプログラムにしたがってカメラ動作を制御するとともに、撮影した画像のデータ処理および再生処理を行う。
【００１６】
タッチセンサ２１は、モニタ１５の表面に配置され、モニタ１５に指が触れると接触位置および接触範囲を読み取り、その情報を制御部２０に出力する。使用者は、タッチセンサ２１を通してモニタ１５に表示された画像を視認することができる。
【００１７】
デジタルカメラ１００は、少なくとも静止画撮影およびアニメーション撮影（動画撮影）を行うことが可能に構成される。静止画撮影は、レリーズスイッチの全押し操作（撮影指示）に応じて単コマずつ行われる撮影であり、単コマごとの静止画像ファイルを生成する。アニメーション撮影は、レリーズスイッチの全押し操作（撮影指示）に応じて単コマずつ行われる撮影であり、撮影時刻が異なる複数コマの画像で構成される動画像ファイルを生成する。
【００１８】
アニメーション撮影において、全押し操作前の撮影準備段階では、スルー画像がモニタ１５に表示される。制御部２０は、撮影者が物体の姿勢変更を行う際に、ガイド画像と称する画像を、スルー画像に重ねてモニタ１５に表示する。ガイド画像は、各コマの撮影を行う際に被写体が取るべき姿勢を示す画像である。
【００１９】
第１の実施の形態におけるガイド画像には、アニメーション撮影において被写体の姿勢を変化させる動線と、各コマの撮影を行う際に被写体が取るべき姿勢を表す画像とが含まれる。各コマの撮影を行う際に被写体が取るべき姿勢を表す画像には、ガイドポイントと称するマークが含まれる。ガイドポイントは、各コマの撮影を行う際に被写体の一部が存在すべき位置を示す。動線上に設定されたガイドポイントの数は、動線が設定された被写体の姿勢を変化させるコマ数と一致する。
【００２０】
図２（ａ）は、モニタ１５に表示されたスルー画像の一例である。図２（ａ）に例示されたスルー画像４０には、右手を挙げた状態の人形４１が映っている。図２（ａ）では、人形４１が右手で物を投げる動作を行うアニメーションを撮影しようとしている。
【００２１】
図２（ｂ）は、スルー画像４０にガイド画像４２を重ねた合成画像４３の一例である。図３（ａ）は、図２（ｂ）に例示されたガイド画像４２のみを図示した図である。ガイド画像４２には、人形４１の右手の動線４３と、ガイドポイント４４とが含まれる。ガイドポイント４４は、各コマの撮影を行う際に人形４１の右手が存在すべき位置を示している。
【００２２】
ガイドポイント４４の表示態様は、複数種類用意されている。ここでガイドポイント４４の表示態様とは、ガイドポイント４４の形状、模様、もしくは色彩、またはそれらの結合である。図３（ａ）には、ガイドポイント４４ａ，４４ｂ，４４ｃという３種類のガイドポイント４４が例示されている。
【００２３】
ガイドポイント４４ａは、動線４３の終点を表し、形状が四角形である。ガイドポイント４４ｂは、次コマの撮影を行う際に被写体が存在すべき位置を表す。ガイドポイント４４ｂは、形状が円形であり、ガイドポイント４４ａおよび４４ｃとは色彩等が異なる。ガイドポイント４４ｃは、ガイドポイント４４の表示位置のうち、ガイドポイント４４ａおよび４４ｂが表示されない位置に表示される。図３（ａ）では、ガイドポイント４４ｃの形状は円形である。
【００２４】
図３（ａ）では、ガイドポイント４４ｂは、第１コマ目の撮影を行う際に被写体が存在すべき位置に表示されている。すなわち、ガイドポイント４４ｂは、動線４３の開始位置に表示されている。ガイドポイント４４ｂは、各コマの撮影が終了するたびに、次に撮影するコマに対応したガイドポイント４４の位置に移動する。例えば第１コマ目の撮影が終了したとき、図３（ｂ）に示すガイド画像６２のように、ガイドポイント４４ｂは、第２コマ目に対応したガイドポイント４４の位置に移動する。
【００２５】
動線は、図２（ａ）のようにモニタ１５に表示されたスルー画像に対して、撮影者がタッチセンサ２１もしくは操作スイッチ１３０またはそれらの両方を用いて設定する。図４は、撮影者がタッチセンサ２１を用いて設定した動線の一例を示す図である。撮影者は、タッチセンサ２１を用いて、スルー画像４０上に動線４３の開始点４５と、終点４６とを設定する。そして、次に撮影者は、タッチセンサ２１を用いて、開始点４５から終点４６までの動線４３を描画する。制御部２０は、撮影者が設定した動線４３、開始点４５、終点４６をバッファメモリ１０に記録する。
【００２６】
制御部２０は、図４に示すように動線が設定されたとき、図５に例示するような設定画面をモニタ１５に表示する。図５は、動線４３上に表示されるガイドポイント４４の個数を設定するための設定画面５０を示す。設定画面５０には、デジタルカメラ１００のフレームレートが表示されている。そして、フレームレートの表示の下方には、アニメーションにおいて被写体を移動させる時間（姿勢を変化させる時間）を設定する設定欄５１が表示されている。設定欄５１には、移動時間が０．８ｓｅｃに設定されている。設定欄５１の下方には、ガイドポイント４４の個数が表示されている。設定画面５０に表示されているガイドポイント４４の個数は、デジタルカメラ１００のフレームレートと、設定欄５１に入力された移動時間とに基づいて算出される。例えば、制御部２０は、ガイドポイント４４の個数を、フレームレートと移動時間の積として算出する。図５では、デジタルカメラ１００のフレームレートが１０ｆｐｓであり、設定欄５１に０．８ｓｅｃが入力されているため、ガイドポイント４４の個数は８個に設定されている。
【００２７】
制御部２０は、図５に例示したような設定画面５０を用いて設定されたｎ個のガイドポイント４４を、動線４３の上に設定する。制御部２０は、少なくとも動線４３の開始点４５と終点４６の上にガイドポイント４４をそれぞれ一つずつ設定する。そして制御部２０は、残ったｎ−２個のガイドポイント４４を、例えば動線４３をｎ−１等分するようにガイドポイント４４の位置を設定する。例えば、図４に例示した動線４３の上に、図５で設定されたように、８個のガイドポイント４４を設定すると、図３（ａ）のガイド画像４２のようになる。図３（ａ）では、動線４３の開始点にガイドポイント４４ｂが設定され、動線４３の終点にガイドポイント４４ａが設定されている。そして、動線４３を７等分するように６個のガイドポイント４４ｃが設定されている。
【００２８】
撮影者が被写体の姿勢を、ガイド画像４２のガイドポイント４４ｂの位置に調整した後、レリーズスイッチを半押し操作すると、操作検出回路１３から半押し操作を示す操作情報が制御部２０に入力される。制御部２０は、操作検出回路１３から半押し操作を示す操作情報が入力されたとき、測光を開始させる。具体的には、制御部２０は、シャッタ１ｄおよび絞り１ｃを開放状態にして撮像素子６に撮影準備段階の撮像を行わせ、電荷蓄積後に撮像素子６から出力される撮像信号の信号値から明るさ情報を取得して露出演算を行う（ＡＥ）。
【００２９】
半押し操作に続いてレリーズスイッチの全押しを示す操作情報が操作検出回路１３から入力されると、単コマの撮影動作を開始させる。例えば、３秒経過後に上記露出演算結果に基づいた露出条件で撮像素子６に撮影用の電荷蓄積を行わせる。制御部２０は、撮影用の電荷蓄積後に撮像素子６から出力される撮像信号に対し、所定の信号処理を施す。制御部２０が信号処理を施した画像データをモニタ制御回路１４へ出力することにより、撮影画像がモニタ１５に表示される。また、制御部２０は、単コマの画像データをメモリカード１２へ動画像ファイルとして記録させる。制御部２０は、単コマの画像データを動画像ファイルとして記録した後、ガイド画像を更新して、次コマの撮影を行う際に被写体が存在すべき位置を示す。
【００３０】
制御部２０は、ガイド画像を更新した後、更新後のガイド画像と、直近の撮影画像を、次コマの撮影準備段階のスルー画像に重ねた合成画像をモニタ１５に表示する。図６は、図２（ｂ）の状態で第１コマ目の撮影動作が行われた後にモニタ１５に表示される合成画像６０を例示した図である。合成画像６０には、第１コマ目の撮影画像６１と、ガイド画像６２とが、第２コマ目の撮影準備段階のスルー画像６３に重ねられている。
【００３１】
撮影者が人形４１の右腕をガイドポイント４４ｂの位置に調節した後、半押し操作と全押し操作とを行ったとき、第２コマ目の撮影が行われる。そのとき、制御部２０は、ガイド画像を再度更新して、更新後のガイド画像と、直近の撮影画像を、次コマの撮影準備段階のスルー画像に重ねた合成画像をモニタ１５に表示する。以降、最終コマの撮影が終了するまでこれらの処理が繰り返される。
【００３２】
ガイド画像において、動線は複数設定できる。動線を複数設定し、複数の動線上にガイドポイントをそれぞれ設定することにより、被写体の複雑な姿勢変化がモニタ１５に表示される。また動線およびガイドポイントの追加は、アニメーション撮影の途中であっても行うことができる。制御部２０は、ガイド画像に含まれるガイドポイントの表示態様を、動線ごとに変えることができる。
【００３３】
図７（ａ）は、複数のガイド画像がスルー画像に重ねられた合成画像の一例である。図７（ａ）に例示される合成画像７０は、新たに設定されたガイド画像７１が、図６の合成画像６０に重ねられた合成画像である。ガイド画像７１は、人形４１の左手の動きに関するガイド画像である。
【００３４】
ガイド画像７１には、五角形のガイドポイント７２ａと、星形のガイドポイント７２ｂおよび７２ｃとが含まれている。ガイドポイント７２ａは人形４１の左手の動線の終点を表す。ガイドポイント７２ｂは、次コマの撮影を行う際に人形４１の左手が存在すべき位置を示す。ガイドポイント７２ｃは、ガイドポイント７２ａおよび７２ｂが表示されないガイドポイントの表示位置に表示される。
【００３５】
図７（ｂ）は、ガイド画像７１を生成するための設定画面７３を例示した図である。設定画面７３では、移動時間の設定欄７４に０．４秒が設定されており、フレームレート１０ｆｐｓとの積によりガイドポイントの個数が４個に設定されている。
【００３６】
ガイド画像７１の設定は、図６に例示した第２コマ目の撮影準備段階に行われた。ガイド画像７１のガイドポイント７２ｂがガイドポイント７２ａの位置に到達するとき、ガイド画像６２のガイドポイント４４ｂは、第５コマ目のガイドポイント４４の位置に存在する。ガイドポイント４４ｂが第６〜第８コマ目のガイドポイント４４の位置に存在するとき、新たにガイド画像が設定されない限りガイドポイント７２ｂはガイドポイント７２ａの位置に存在する。
【００３７】
図８は、ガイド画像の生成処理に関するフローチャートである。ステップＳ８０では、制御部２０は、図２（ａ）に例示したように、撮影準備段階のスルー画像をモニタ１５に表示させる。ステップＳ８１では、制御部２０は、モニタ１５に表示されたスルー画像を見ている撮影者にタッチセンサ２１または操作スイッチ１３０を操作させて、動作の開始点（例えば、図４の開始点４５）を設定させる。ステップＳ８２では、制御部２０は、モニタ１５に表示されたスルー画像を見ている撮影者にタッチセンサ２１または操作スイッチ１３０を操作させて、動作の終点（例えば、図４の終点４６）を設定させる。ステップＳ８３では、制御部２０は、モニタ１５に表示されたスルー画像を見ている撮影者にタッチセンサ２１または操作スイッチ１３０を操作させて、ステップＳ８１で設定させた開始点とステップＳ８２で設定させた終点との間の動線（例えば、図４の動線４３）を設定させる。
【００３８】
ステップＳ８４では、制御部２０は、図５の設定画面５０のような、ガイドポイントの個数の設定画面をモニタ１５に表示する。ステップＳ８５では、制御部２０は、撮影者にタッチセンサ２１または操作スイッチ１３０を操作させて、ガイドポイントの個数を設定させる。例えば、制御部２０は、撮影者にタッチセンサ２１または操作スイッチ１３０を操作させて、設定欄５１に移動時間を入力させて、その移動時間の設定値とデジタルカメラ１００のフレームレートとの積を、ガイドポイントの個数の設定値として算出する。
【００３９】
ステップＳ８６では、制御部２０は、ステップＳ８５で設定されたガイドポイントの個数に基づいて、ステップＳ８３で設定した動線上にガイドポイントの位置を算出する。例えば、制御部２０は、ステップＳ８１で設定された開始点の位置と、ステップＳ８２で設定された終点の位置とをガイドポイントの位置として設定すると共に、ステップＳ８３で設定された動線をｎ―２等分する位置（ｎはステップＳ８５で設定されたガイドポイントの個数）を算出する。ステップＳ８７では、制御部２０は、ステップＳ８３で設定した動線と、ステップＳ８６で算出された動線上の位置に配置されたガイドポイントとを含むガイド画像を生成する。
【００４０】
図９および図１０は、制御部２０が実行するアニメーション撮影処理に関するフローチャートである。制御部２０は、アニメーション撮影処理を実行するとき、図９のステップＳ９０からその処理を開始する。
【００４１】
ステップＳ９０では、制御部２０は、アニメーション撮影処理に関する初期設定を行う。例えば、制御部２０は、撮影時の画像フォーマット、撮影時の撮影条件、撮影時の撮影に関する各設定などを、操作検出回路１３から入力された操作情報にしたがって設定する。画像フォーマットとは、例えば記録画素数、画像圧縮率などである。撮影時の撮影条件とは、例えばシャッタ速度、絞り値、ズームレンズ１ａの位置情報（ズーム画角）、ＡＷＢ調整値などである。撮影時の撮影に関する各設定とは、例えばオート露出モードの設定内容、ストロボモードの設定内容、露出補正の設定内容などである。
【００４２】
ステップＳ９１では、制御部２０は、図８に示したガイド画像の生成処理を行う。ステップＳ９２では、制御部２０は、ステップＳ９１で生成されたガイド画像を、撮影準備段階のスルー画像に重ねた合成画像（例えば、図２（ｂ）の合成画像４３）をモニタ１５に表示させる。
【００４３】
ステップＳ９３では、制御部２０は、レリーズスイッチの半押し操作を示す操作情報が操作検出回路１３から入力されているか否かを判定する。制御部２０は、レリーズスイッチの半押し操作を示す操作情報が操作検出回路１３から入力されている場合にはステップＳ９３を肯定判定してステップＳ９４へ進み、半押し操作を示す操作情報が入力されていない場合にはステップＳ９３を否定判定してステップＳ９２に戻る。
【００４４】
ステップＳ９４では、制御部２０は、オート露出演算（ＡＥ）、オートホワイトバランス（ＡＷＢ）処理（色温度調整処理）、オートフォーカス調節（ＡＦ）などの撮影条件を演算する。
【００４５】
ステップＳ９５では、制御部２０は、レリーズスイッチの全押し操作を示す操作情報が操作検出回路１３から入力されているか否かを判定する。制御部２０は、レリーズスイッチの全押し操作を示す操作情報が操作検出回路１３から入力されている場合にはステップＳ９５を肯定判定してステップＳ９７へ進み、全押し操作を示す操作情報が入力されていない場合にはステップＳ９５を否定判定してステップＳ９６に進む。
【００４６】
ステップＳ９６では、制御部２０は、レリーズスイッチの半押し操作を示す操作情報が操作検出回路１３から入力されているか否かを判定する。制御部２０は、レリーズスイッチの半押し操作を示す操作情報が操作検出回路１３から入力されている場合にはステップＳ９６を肯定判定してステップＳ９５へ進み、半押し操作を示す操作情報が入力されていない場合、すなわち撮影者がレリーズスイッチの全押し操作を行う前に半押し操作を止めた場合にはステップＳ９６を否定判定してステップＳ９２に戻る。
【００４７】
ステップＳ９７では、制御部２０は撮影動作を行う。例えば、制御部２０は、所定時間ウェイト経過後にステップＳ９４で演算した撮影条件で単コマの撮影動作を行う。ステップＳ９８では、制御部２０は、ステップＳ９７の撮影動作で撮影された撮影画像を、メモリカード１２内に記録されている動画像ファイルに記録する。
【００４８】
ステップＳ９９では、制御部２０は、ステップＳ９１で生成されたガイド画像を更新する。制御部２０は、ガイド画像を更新した後、図１０のステップＳ１００の処理に進む。
【００４９】
図１０のステップＳ１００では、制御部２０は、図９のステップＳ９７で撮影された前コマの撮影画像と、図９のステップＳ９９で更新されたガイド画像とを、撮影準備段階の次コマのスルー画像に重ねた合成画像（例えば、図６の合成画像６０）をモニタ１５に表示させる。
【００５０】
ステップＳ１０１では、制御部２０は、ガイドポイントを新たに追加するか否かを判定する。制御部２０は、ガイドポイントを新たに追加する操作を示す操作情報が操作検出回路１３から入力されたときステップＳ１０１を肯定判定してステップＳ１０２へ進み、ガイドポイントを新たに追加する操作を示す操作情報が操作検出回路１３から入力されていないときステップＳ１０１を否定判定してステップＳ１０３へ進む。
【００５１】
ステップＳ１０２では、制御部２０は、図８に示したガイド画像の生成処理を行う。例えば、図７（ａ）のガイド画像７１の生成処理を行う。
【００５２】
ステップＳ１０３では、制御部２０は、レリーズスイッチの半押し操作を示す操作情報が操作検出回路１３から入力されているか否かを判定する。制御部２０は、レリーズスイッチの半押し操作を示す操作情報が操作検出回路１３から入力されている場合にはステップＳ１０３を肯定判定してステップＳ１０４へ進み、半押し操作を示す操作情報が入力されていない場合にはステップＳ１０３を否定判定してステップＳ１００に戻る。ステップＳ１０２で新たなガイド画像が生成された後に、再びステップＳ１００の処理を行うとき、例えば図７（ａ）のようにガイド画像７１がさらに重ねられた合成画像が表示される。
【００５３】
ステップＳ１０４では、制御部２０は、オート露出演算（ＡＥ）、オートホワイトバランス（ＡＷＢ）処理（色温度調整処理）、オートフォーカス調節（ＡＦ）などの撮影条件を演算する。ステップＳ１０５では、制御部２０は、レリーズスイッチの全押し操作を示す操作情報が操作検出回路１３から入力されているか否かを判定する。制御部２０は、レリーズスイッチの全押し操作を示す操作情報が操作検出回路１３から入力されている場合にはステップＳ１０５を肯定判定してステップＳ１０６へ進み、全押し操作を示す操作情報が入力されていない場合にはステップＳ１０５を否定判定してステップＳ１０６に進む。
【００５４】
ステップＳ１０６では、制御部２０は、レリーズスイッチの半押し操作を示す操作情報が操作検出回路１３から入力されているか否かを判定する。制御部２０は、レリーズスイッチの半押し操作を示す操作情報が操作検出回路１３から入力されている場合にはステップＳ１０６を肯定判定してステップＳ１０５へ進み、半押し操作を示す操作情報が入力されていない場合、すなわち撮影者がレリーズスイッチの全押し操作を行う前に半押し操作を止めた場合にはステップＳ１０６を否定判定してステップＳ１００に戻す。
【００５５】
ステップＳ１０７では、制御部２０は撮影動作を行う。例えば、制御部２０は、所定時間ウェイト経過後にステップＳ１０４で演算した撮影条件で１コマ分の撮影画像を撮影する。ステップＳ１０８では、制御部２０は、ステップＳ１０７の撮影動作で撮影された画像を、メモリカード１２内に記録されている動画像ファイルに記録する。
【００５６】
ステップＳ１０９では、制御部２０は、全コマの撮影を行ったか否かを判定する。制御部２０は、全コマの撮影を行った場合はステップＳ１０９を肯定判定してアニメーション撮影処理を終了し、全コマの撮影を行っていない場合はステップＳ１０９を否定判定してステップＳ１００に戻す。
【００５７】
以上で説明した第１の実施の形態によれば、以下の作用効果が得られる。
本発明の第１の実施の形態による撮像装置であるデジタルカメラ１００は、制御部２０を備える。制御部２０は、被写体の姿勢を変化させる動線を設定させる（図８のステップＳ８３）。次に、制御部２０は、モニタ１５に設定画面（図５、図７（ｂ））を表示させて、ガイドポイント数を設定させて、動線に沿って被写体の姿勢を変化させるコマ数を設定させる（ステップＳ８４、Ｓ８５）。次に、制御部２０は、設定された動線と、コマ数（動線上のガイドポイントの個数）とに基づいて、各コマの撮影を行う際に被写体が取るべき姿勢を示すガイド画像を生成する（ステップＳ８６、Ｓ８７）。制御部２０は、このガイド画像を、各コマの撮影の準備時のスルー画像に重ねてモニタ１５に表示する（図９のステップＳ９２、図１０のステップＳ１００）。デジタルカメラ１００は、ガイド画像をモニタ１５に表示することにより、アニメーションのような動画ファイル生成時に、コマ撮りごとの被写体移動量を撮影者に知らせることができる。
【００５８】
―第２の実施の形態―
本発明の第２の実施の形態について説明する。第２の実施の形態は、撮影準備段階のスルー画像に重ねるガイド画像が第１の実施の形態と異なる。本発明の第２の実施の形態による撮像装置は、図１に示すデジタルカメラ１００と同様の構成を備える。
【００５９】
本発明の第２の実施の形態において、不揮発性メモリ９には、ガイド画像のサンプルデータがさらに記憶されている。サンプルデータは、複数コマの各々における被写体の姿勢に関するサンプル画像を含み、動作対象と、動作サンプルと、動作速度とにより分類されている。動作対象には、例えば人、犬などが予め用意されている。また、動作サンプルには、例えば歩く、走る、投げる、ジャンプなどが予め用意されている。さらに、動作速度には、例えばゆっくり、普通、速いなどが予め用意されている。動作速度は、被写体の姿勢を変化させる変化速度を表す。動作速度がゆっくりのとき、サンプルデータに含まれるサンプル画像の個数が最も多くなる。すなわち、被写体の姿勢を変化させるコマ数が最も多くなる。一方、動作速度が速いのとき、サンプルデータに含まれるサンプル画像の個数が最も少なくなる。すなわち、被写体の姿勢を変化させるコマ数が最も少なくなる。
【００６０】
図１１は、サンプルデータに含まれるサンプル画像の一例である。図１１には、第１コマ目〜第３コマ目における被写体の姿勢に関するサンプル画像１２１〜１２３が含まれている。サンプル画像１２１〜１２３を含むサンプルデータは、例えば動作対象が人、動作サンプルが歩く、動作速度が速いに分類されて不揮発性メモリ９に記憶されている。
【００６１】
ガイド画像のサンプルデータは、ガイド画像を生成する際に不揮発性メモリ９から読み出される。制御部２０は、図１２に例示するような設定画面をモニタ１５に表示させ、撮影者に読み出すサンプルデータの動作対象と、動作サンプルと、動作速度とを設定させる。図１２の設定画面１３０には、動作対象を設定するためのプルダウンメニュー１３１と、動作サンプルを設定するためのプルダウンメニュー１３２と、動作速度を設定するためのプルダウンメニュー１３３とを有する。
【００６２】
制御部２０は、設定画面に設定された動作対象と、動作サンプルと、動作速度とに基づいて、ガイド画像のサンプルデータを不揮発性メモリ９から読み出す。制御部２０は、不揮発性メモリ９から読み出されたサンプルデータに応じたサンプル画像の表示位置と向きと大きさを調整してガイド画像を生成する。そして、そのガイド画像を、撮影準備段階のスルー画像に重ねて合成画像を生成して、モニタ１５にその合成画像を表示させる。
【００６３】
図１３は、第２の実施の形態におけるガイド画像の生成処理に関するフローチャートである。ステップＳ１４０では、制御部２０は、図１２に例示したような設定画面をモニタ１５に表示させる。ステップＳ１４１では、制御部２０は、撮影者にタッチセンサ２１または操作スイッチ１３０を操作させて、動作対象、動作サンプル、動作速度を設定させる。ステップＳ１４２では、制御部２０は、ステップＳ１４１で設定された動作対象、動作サンプル、動作速度に基づいて、不揮発性メモリ９からガイド画像のサンプルデータを読み出す。
【００６４】
ステップＳ１４３では、制御部２０は、撮影準備段階のスルー画像をモニタ１５に表示させる。ステップＳ１４４では、制御部２０は、ステップＳ１４２で読み出したサンプル画像の位置、向き、大きさを調整させて、ガイド画像を生成する。例えば、制御部２０は、撮影者にタッチセンサ２１または操作スイッチ１３０を操作させて、ステップＳ１４３で表示したスルー画像に合わせてサンプル画像の表示位置を上下左右に移動させる。例えば、制御部２０は、撮影者にタッチセンサ２１または操作スイッチ１３０を操作させて、サンプル画像の向きを調整させる。例えば、制御部２０は、撮影者にタッチセンサ２１または操作スイッチ１３０を操作させて、サンプルデータの画像の大きさを調整させる。
【００６５】
図１４および図１５は、第２の実施の形態において制御部２０が実行するアニメーション撮影処理に関するフローチャートである。図１４および図１５のフローにおいて、図９および図１０と同様のフローには同一の符号が付されており、その説明を省略する。
【００６６】
図１４のステップＳ１５１では、制御部２０は、図１３に示すガイド画像の生成処理を行う。ステップＳ１５２では、制御部２０は、ステップＳ１５１で生成されたガイド画像を、撮影準備段階のスルー画像に重ねた合成画像をモニタ１５に表示させる。
【００６７】
図１６（ａ）は、ステップＳ１５２でモニタ１５に表示される合成画像の一例である。図１６（ａ）では、図１１に例示したサンプル画像１２１に基づくガイド画像１７２が第１コマ目の撮影準備段階のスルー画像１７１に重ねられた合成画像１７０がモニタ１５に表示されている。
【００６８】
ステップＳ１５９では、制御部２０は、ステップＳ１５１で生成されたガイド画像を更新する。例えば、制御部２０は、図１６（ａ）の第１コマ目のガイド画像１７２を、第２コマ目用のガイド画像のサンプル画像１２２に基づいた画像に変更する。
【００６９】
図１５のステップＳ１６０では、制御部２０は、図１４のステップＳ９７で撮影された前コマの撮影画像と、図１４のステップＳ１５９で更新されたガイド画像とを、撮影準備段階の次コマのスルー画像に重ねた合成画像をモニタ１５に表示させる。
【００７０】
図１６（ｂ）は、ステップＳ１６０でモニタ１５に表示される合成画像の一例である。図１６（ｂ）では、第２コマ目のサンプル画像１２２に基づいたガイド画像１７５と第１コマ目の撮影画像１７６が第２コマ目の撮影準備段階のスルー画像１７４に重ねられた合成画像１８０がモニタ１５に表示されている。
【００７１】
以上で説明した第２の実施の形態によれば、以下の作用効果が得られる。
本発明の第２の実施の形態による撮像装置は、デジタルカメラ１００のように、制御部２０と不揮発性メモリ９を備える。不揮発性メモリ９には、ガイド画像のサンプルデータが記憶されており、サンプルデータには複数コマの各々における被写体の姿勢を示すサンプル画像が含まれる（図１１）。制御部２０は、設定画面１３０をモニタ１５に表示して、プルダウンメニュー１３３を用いて動作速度を設定させる（図１３のステップＳ１４１）。この動作速度が設定されると、アニメーション撮影におけるコマ数が設定される。例えば、動作速度の設定が速くなるほど、アニメーション撮影において被写体の姿勢を変化させるコマ数が少なく設定される。制御部２０は、設定された動作速度に基づいてサンプルデータを読み出して（ステップＳ１４２）、その読み出したサンプルデータのサンプル画像の位置、向き、大きさを調整して第２の実施の形態におけるガイド画像を生成する（ステップＳ１４４）。制御部２０は、このガイド画像を、各コマの撮影の準備時のスルー画像に重ねてモニタ１５に表示する（図１４のステップＳ１５２、図１５のステップＳ１６０）。デジタルカメラ１００は、ガイド画像をモニタ１５に表示することにより、アニメーションのような動画ファイル生成時に、コマ撮りごとの被写体移動量を撮影者に知らせることができる。
【００７２】
以上で説明した実施の形態は、以下のように変形して実施できる。
（変形例１）
第１の実施の形態では、ガイドポイントの個数を設定するために、撮影者に移動時間を入力させたが、移動時間の入力に代えてガイドポイントの個数を直接入力させてもよい。ガイドポイントの個数を直接入力させた場合、入力されたガイドポイントの個数を、フレームレートで除した移動時間を設定画面に表示することが好ましい。
【００７３】
（変形例２）
第１の実施の形態において、動線の終点に表示するガイドポイントは、それ以外のガイドポイントとその形状が異なるものとしたが、模様又は色彩が異なるものとしてもよい。また、次コマの撮影を行う際に被写体が存在すべき位置を表すガイドポイントは、他のガイドポイントと比べてその模様もしくは色彩またはそれらの両方が異なるものとしたが、形状が異なるものとしてもよい。また、動線の終点に表示するガイドポイントの形状を、他のガイドポイントと同じにしてもよい。また、最終コマの撮影を行う際に被写体が存在すべき位置を表すガイドポイントは、動線の終点に表示するガイドポイントの形状と、次コマの撮影を行う際に被写体が存在すべき位置を表すガイドポイントの色彩等に設定することにしてもよい。
【００７４】
（変形例３）
第１の実施の形態では、図８のステップＳ８１〜Ｓ８３において、制御部２０は、動線の開始点と終点を設定させた後にその開始点と終点の間に動線を設定させたが、まず動線を描画させてその動線の両端を開始点と終点に設定することにしてもよい。また、撮影者に動線の開始点と終点を設定させた後に、その開始点と終点とを結ぶ線分を動線として設定することにしてもよい。
【００７５】
（変形例４）
第１の実施の形態では、ガイドポイントは、動線に沿って等間隔に設定されたが、等間隔になるように設定しなくてもよい。例えば、被写体が加速または減速するアニメーションを撮影する際は、隣り合う二つのガイドポイント間の距離を、加速度に基づいて変化させることにしてもよい。
【００７６】
（変形例５）
アニメーション撮影を行っているとき、制御部２０は、撮影済みのコマの画像を削除して再撮影させることにしてもよい。再撮影を行うときは、制御部２０は、そのコマに応じたガイド画像をスルー画像に重ねてモニタ１５に表示することにすればよい。
【００７７】
（変形例６）
本発明による撮像装置は、デジタルカメラだけに限定されない。例えば、ガイド画像の生成処理とアニメーション撮影処理とを実行するためのプログラムを記録した記録媒体と、そのプログラムを実行する制御部を備える携帯電話、スマートフォンなども本発明による撮像装置に含まれる。
【００７８】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００７９】
９  不揮発性メモリ
１３  操作検出回路
１５  モニタ
２０  制御部
２１  タッチセンサ
４２、６２，７１、１７２、１７５  ガイド画像
１００  デジタルカメラ
【図１】
2014072539.tif 000003
【図２】
2014072539.tif 000004
【図３】
2014072539.tif 000005
【図４】
2014072539.tif 000006
【図５】
2014072539.tif 000007
【図６】
2014072539.tif 000008
【図７】
2014072539.tif 000009
【図８】
2014072539.tif 000010
【図９】
2014072539.tif 000011
【図１０】
2014072539.tif 000012
【図１１】
2014072539.tif 000013
【図１２】
2014072539.tif 000014
【図１３】
2014072539.tif 000015
【図１４】
2014072539.tif 000016
【図１５】
2014072539.tif 000017
【図１６】
2014072539.tif 000018